【手続補正書】
【提出日】平成26年4月11日(2014.4.11)
【手続補正１】
【補正対象書類名】特許請求の範囲
【補正対象項目名】全文
【補正方法】変更
【補正の内容】
【特許請求の範囲】
【請求項１】
約６〜約７０重量パーセントの２，３，３，３−テトラフルオロプロペンと、約３０〜約９４重量パーセントの１，１，１，２−テトラフルオロエタンとを含む組成物を含有し、遠心冷凍機装置である冷却装置。
【請求項２】
ＨＦＣ−１３４ａまたはＣＦＣ−１２と一緒に使用するために適切である、請求項１に記載の冷却装置。
【請求項３】
前記組成物が、約３８〜約６７重量パーセントの２，３，３，３−テトラフルオロプロペンと、約６２〜約３３重量パーセントの１，１，１，２−テトラフルオロエタンとを含む、請求項１に記載の冷却装置。
【請求項４】
前記組成物が、約５４〜約６７重量パーセントの２，３，３，３−テトラフルオロプロペンと、約４６〜約３３重量パーセントの１，１，１，２−テトラフルオロエタンとを含む、請求項１に記載の冷却装置。
【請求項５】
前記組成物が、約５４．０〜約５６．０重量パーセントの２，３，３，３−テトラフルオロプロペンと、約４６．０〜約４４．０重量パーセントの１，１，１，２−テトラフルオロエタンとを含む、請求項１に記載の冷却装置。
【請求項６】
前記組成物が、約５５重量パーセントの２，３，３，３−テトラフルオロプロペンと、約４５重量パーセントの１，１，１，２−テトラフルオロエタンとを含む、請求項５に記載の冷却装置。
【請求項７】
前記組成物が、約５８．０〜約５９．５重量パーセントの２，３，３，３−テトラフルオロプロペンと、約４２．０〜約４０．５重量パーセントの１，１，１，２−テトラフルオロエタンとを含む、請求項１に記載の冷却装置。
【請求項８】
前記組成物が、約５９重量パーセントの２，３，３，３−テトラフルオロプロペンと、約４１重量パーセントの１，１，１，２−テトラフルオロエタンとを含む、請求項７に記載の冷却装置。
【請求項９】
冷却装置で冷却を生じる方法であって、
（ａ）  蒸発器中で、約６〜約７０重量パーセントの２，３，３，３−テトラフルオロプロペンと、約３０〜約９４重量パーセントの１，１，１，２−テトラフルオロエタンとを含んでなる液体冷却剤を蒸発させ、それによって蒸気冷却剤を生成させる工程であって、前記蒸発器は、前記蒸発器内を通過する熱伝達媒体を有する工程と、
（ｂ）  圧縮器で前記蒸気冷却剤を圧縮する工程と
を含み、前記冷却剤の体積冷却能力が、２，３，３，３−テトラフルオロプロペン単独、および１，１，１，２−テトラフルオロエタン単独の個々の体積冷却能力より大きく、前記冷却装置がターボ冷凍機装置である方法。
【請求項１０】
前記液体冷却剤中の２，３，３，３−テトラフルオロプロペン対１，１，１，２−テトラフルオロエタンの重量比が、前記蒸気冷却剤中の２，３，３，３−テトラフルオロプロペン対１，１，１，２−テトラフルオロエタンの重量比と本質的に同じである、請求項９に記載の方法。
【請求項１１】
前記熱伝達媒体が、前記蒸発器から、冷却される本体まで通過する、請求項１０に記載の方法。
【請求項１２】
冷却剤としてＨＦＣ−１３４ａまたはＣＦＣ−１２を使用するために設計された冷却装置において冷却剤を置き換える方法であって、約６〜約７０重量パーセントの２，３，３，３−テトラフルオロプロペンと、約３０〜約９４重量パーセントの１，１，１，２−テトラフルオロエタンとから本質的になる冷却剤を含み、それによって前記冷却装置の冷却能力を増加させる組成物を前記冷却装置に充填する工程を含んでなり、前記冷却装置が遠心冷凍機装置である方法。
【手続補正２】
【補正対象書類名】明細書
【補正対象項目名】００８９
【補正方法】変更
【補正の内容】
【００８９】
あるいはＨＦＣ−１３４ａまたはＣＦＣ−１２を置き換える方法において、２，３，３，３−テトラフルオロプロペンと１，１，１，２−テトラフルオロエタンとを含んでなる本明細書に開示される組成物は、満液式蒸発器を備える新規の冷却装置または直接膨張式蒸発器を備える新規の圧縮器などの新規の装置で有用であり得る。
以下に、本発明の好ましい態様を示す。
［１］  約６〜約７０重量パーセントの２，３，３，３−テトラフルオロプロペンと、約３０〜約９４重量パーセントの１，１，１，２−テトラフルオロエタンとを含む組成物を含有する冷却装置。
［２］  ＨＦＣ−１３４ａと一緒に使用するために適切である、［１］に記載の冷却装置。
［３］  ＣＦＣ−１２と一緒に使用するために適切である、［１］に記載の冷却装置。
［４］  前記組成物が、約３８〜約６７重量パーセントの２，３，３，３−テトラフルオロプロペンと、約６２〜約３３重量パーセントの１，１，１，２−テトラフルオロエタンとを含む、［１］に記載の冷却装置。
［５］  前記組成物が、約５４〜約６７重量パーセントの２，３，３，３−テトラフルオロプロペンと、約４６〜約３３重量パーセントの１，１，１，２−テトラフルオロエタンとを含む、［１］に記載の冷却装置。
［６］  前記組成物が、約５４．０〜約５６．０重量パーセントの２，３，３，３−テトラフルオロプロペンと、約４６．０〜約４４．０重量パーセントの１，１，１，２−テトラフルオロエタンとを含含む、［１］に記載の冷却装置。
［７］  前記組成物が、約５５重量パーセントの２，３，３，３−テトラフルオロプロペンと、約４５重量パーセントの１，１，１，２−テトラフルオロエタンとを含む、［６］に記載の冷却装置。
［８］  前記組成物が、約５８．０〜約５９．５重量パーセントの２，３，３，３−テトラフルオロプロペンと、約４２．０〜約４０．５重量パーセントの１，１，１，２−テトラフルオロエタンとを含む、［１］に記載の冷却装置。
［９］  前記組成物が、約５９重量パーセントの２，３，３，３−テトラフルオロプロペンと、約４１重量パーセントの１，１，１，２−テトラフルオロエタンとを含む、［８］に記載の冷却装置。
［１０］  前記装置が遠心冷凍機装置である、［１］〜［９］のいずれか一項に記載の冷却装置。
［１１］  約５８．０〜約５９．５重量パーセントの２，３，３，３−テトラフルオロプロペンと、約４２．０〜約４０．５重量パーセントの１，１，１，２−テトラフルオロエタンとを含む組成物。
［１２］  約５９重量パーセントの２，３，３，３−テトラフルオロプロペンと、約４１重量パーセントの１，１，１，２−テトラフルオロエタンとを含む［１１］に記載の組成物。
［１３］  約５４．０〜約５６．０重量パーセントの２，３，３，３−テトラフルオロプロペンと、約４６．０〜約４４．０重量パーセントの１，１，１，２−テトラフルオロエタンとを含む組成物。
［１４］  約５５重量パーセントの２，３，３，３−テトラフルオロプロペンと、約４５重量パーセントの１，１，１，２−テトラフルオロエタンとを含む［１３］に記載の組成物。
［１５］  約５８．０〜約５９．５重量パーセントの２，３，３，３−テトラフルオロプロペンと、約４２．０〜約４０．５重量パーセントの１，１，１，２−テトラフルオロエタンとから本質的になる冷却剤を含む組成物。
［１６］  約５９重量パーセントの２，３，３，３−テトラフルオロプロペンと、約４１重量パーセントの１，１，１，２−テトラフルオロエタンとから本質的になる冷却剤を含む、［１５］に記載の組成物。
［１７］  約５４．０〜約５６．０重量パーセントの２，３，３，３−テトラフルオロプロペンと、約４６．０〜約４４．０重量パーセントの１，１，１，２−テトラフルオロエタンとから本質的になる冷却剤を含む組成物。
［１８］  約５５重量パーセントの２，３，３，３−テトラフルオロプロペンと、約４５重量パーセントの１，１，１，２−テトラフルオロエタンとから本質的になる冷却剤を含む［１７］に記載の組成物。
［１９］  冷却装置で冷却を生じる方法であって、（ａ）蒸発器中で、約６〜約７０重量パーセントの２，３，３，３−テトラフルオロプロペンと、約３０〜約９４重量パーセントの１，１，１，２−テトラフルオロエタンとを含んでなる液体冷却剤を蒸発させる工程であって、前記蒸発器中を熱伝達媒体を通過させ、それによって蒸気冷却剤を生成させる工程と、（ｂ）圧縮器で前記蒸気冷却剤を圧縮する工程とを含み、前記冷却剤の体積冷却能力が、２，３，３，３−テトラフルオロプロペン単独、および１，１，１，２−テトラフルオロエタン単独の個々の体積冷却能力より大きい方法。
［２０］  前記液体冷却剤中の２，３，３，３−テトラフルオロプロペン対１，１，１，２−テトラフルオロエタンの重量比が、前記蒸気冷却剤中の２，３，３，３−テトラフルオロプロペン対１，１，１，２−テトラフルオロエタンの重量比と本質的に同じである、［１９］に記載の方法。
［２１］  前記熱伝達媒体が、前記蒸発器から、冷却される本体まで通過する、［１９］に記載の方法。
［２２］  冷却剤としてＨＦＣ−１３４ａまたはＣＦＣ−１２を使用するために設計された冷却装置において冷却剤を置き換える方法であって、約６〜約７０重量パーセントの２，３，３，３−テトラフルオロプロペンと、約３０〜約９４重量パーセントの１，１，１，２−テトラフルオロエタンとから本質的になる冷却剤を含み、それによって前記冷却装置の冷却能力を増加させる組成物を前記冷却装置に充填する工程を含む方法。